(57)【特許請求の範囲】
【請求項１】
基材を紐状部材で結束するための結束具であって、
前記紐状部材を挿通するための貫通孔を有する基台部材と、
前記基台部材と上下に対向した板状の保持部材と、
前記基台部材と前記保持部材とを互いの中央で接続係止する係止部材と、
を備え、
前記基台部材及び／又は前記保持部材の対向する側に、前記紐状部材が押入される凹部が形成されており、
その凹部に紐状部材が押圧されて、紐状部材同士、紐状部材と凹部同士が押圧し合うことにより、強固に紐状部材が固定されることを特徴とする結束具。
【請求項２】
前記基台部材と前記保持部材との側端部近傍は、外方に向かって次第に互いの離間隙間が拡大するように形成されている請求項１に記載の結束具。
【請求項３】
前記凹部内面に多数の突起部を備えている請求項１又は２に記載の結束具。
【請求項４】
基材を紐状部材で結束するための結束具であって、
前記紐状部材を挿通するための貫通孔を有する基台部材と、
前記基台部材と上下に対向した板状の保持部材と、
前記基台部材と前記保持部材とを互いの中央で接続係止する係止部材と、
を備え、
前記基台部材及び／又は前記保持部材の対向する側に、前記紐状部材が押入される凹部が形成されており、
前記凹部内面に多数の突起部を備えている結束具。
【請求項５】
前記基台部材は、台座部と、該台座部から下方に延設した周壁部と、からなり、前記貫通孔は、該周壁部を貫通して左右略対称に一対有する請求項１乃至４のうちのいずれか１項に記載の結束具。
【請求項６】
前記基台部材は、平板状からなる請求項１乃至４のうちのいずれか１項に記載の結束具。
【請求項７】
前記基台部材の底面が、円柱形状の基材の側面に当接するように湾曲して形成されている請求項１乃至６のうちのいずれか１項に記載の結束具。
【請求項８】
前記保持部材側からの平面視で、前記基台部材が前記保持部材より外方にはみ出した上面部位を有する請求項１乃至７のうちのいずれか１項に記載の結束具。
【請求項９】
基材を紐状部材で結束するための結束具であって、
前記紐状部材を挿通するための貫通孔を有する基台部材と、
前記基台部材と上下に対向した保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記保持部材の前記基台部材と対向する側に、前記紐状部材が押入される凹部が形成され、
前記基台部材は、台座部と、該台座部から下方に延設した周壁部と、からなり、
前記貫通孔は、該周壁部を貫通して左右略対称に一対有し、
前記基台部材は、前記貫通孔の挿通する一方向に向かって次第に窄まるように形成され、
前記保持部材側からの平面視で、前記基台部材が前記保持部材より外方にはみ出した上面部位を有することを特徴とする結束具。
【発明の詳細な説明】
【技術分野】
【０００１】  本発明は、結束具に関する。更に詳しくは、簡易な構造で、基材を紐状部材で、容易且つ確実に結束可能な結束具に関する。
【背景技術】
【０００２】  種々の基材を紐状部材で結束するには、通常、両手の指先によって紐状部材の端部同士を結ぶ作業を行う。結束に際しては、手間がかかることに加え、一旦結束したものが解けやすかったり、また解くのに手間取ることが多い。  また、建築現場では、最初に施工に必要な足場を管材などで組み立て、更にシートなどを張る作業を行うのが通常である。  管材にシートを取着するには、足場となる板上に立って、紐状部材を管材に縛り付ける作業をするため、両手で紐状部材同士を結ぶ作業をすることになる。  しかしながら、高所で板上に立って両手による作業をするのは、危険なものであり、また効率もよくない。  更に、手で紐状部材を結ぶ作業は、効率が悪いばかりでなく、作業者によっても力の入れ具合、結び方などにバラつきがあり、結果的に場所により結束強度のバラつきが生ずることになる。更に紐同士を結ぶ作業、解く作業は、手間がかかり、結果的に、紐状部材の損傷や消耗を招きやすい。【０００３】  ここで、紐状部材を結ぶ必要がない結束具が提案されている（例えば、特許文献１参照。）。  この特許文献１に記載の結束具は、一本の紐状部材と二以上の板状保持部材と一以上のスペーサー部材とから成り、板状保持部材には挿通用スリット部と保持スリット部が設けられている。そして、挿通用スリット部は中心方向に行くにしたがって狭い切れ込みとなっているため、切れ込みの先端まで挿入した紐状部材を容易に抜けないようにしている。また、保持スリット部は、前記紐状部材の牽引方向を一方向に制限するとともに、先端に向かって牽引方向へ突出するように形成されているため、牽引状態が保持される構造となっている。  このように構成することで、紐状部材を結ぶ必要がなくなり、結束作業を効率よく行うことができる。
【先行技術文献】
【特許文献】
【０００４】
【特許文献１】特開２０１４−１１８１７８号
【発明の概要】
【発明が解決しようとする課題】
【０００５】  しかし、特許文献１に記載の結束具は、保持スリット部で紐状部材を摩擦固定するため、被結束物が農作物の茎などの、さほど強固でない結束には適しているが、強固に基材を結束する必要のある場合には適していない。【０００６】  本発明は、前記の問題を解決するものであり、簡易な構造で、基材を紐状部材で、容易且つ確実に結束可能な結束具を提供することを目的とする。
【課題を解決するための手段】
【０００７】
本発明は以下の通りである。
１．基材を紐状部材で結束するための結束具であって、
前記紐状部材を挿通するための貫通孔を有する基台部材と、
前記基台部材と上下に対向した板状の保持部材と、
前記基台部材と前記保持部材とを互いの中央で接続係止する係止部材と、
を備え、
前記基台部材及び／又は前記保持部材の対向する側に、前記紐状部材が押入される凹部が形成されており、
その凹部に紐状部材が押圧されて、紐状部材同士、紐状部材と凹部同士が押圧し合うことにより、強固に紐状部材が固定されることを特徴とする結束具。
２．前記基台部材と前記保持部材との側端部近傍は、外方に向かって次第に互いの離間隙間が拡大するように形成されている１．に記載の結束具。
３．前記凹部内面に多数の突起部を備えている１．又は２．に記載の結束具。
４．基材を紐状部材で結束するための結束具であって、
前記紐状部材を挿通するための貫通孔を有する基台部材と、
前記基台部材と上下に対向した板状の保持部材と、
前記基台部材と前記保持部材とを互いの中央で接続係止する係止部材と、
を備え、
前記基台部材及び／又は前記保持部材の対向する側に、前記紐状部材が押入される凹部が形成されており、
前記凹部内面に多数の突起部を備えている結束具。
５．前記基台部材は、台座部と、該台座部から下方に延設した周壁部と、からなり、前記貫通孔は、該周壁部を貫通して左右略対称に一対有する１．乃至４．のうちのいずれか１項に記載の結束具。
６．前記基台部材は、平板状からなる１．乃至４．のうちのいずれか１項に記載の結束具。
７．前記基台部材の底面が、円柱形状の基材の側面に当接するように湾曲して形成されている１．乃至６．のうちのいずれか１項に記載の結束具。
８．前記保持部材側からの平面視で、前記基台部材が前記保持部材より外方にはみ出した上面部位を有する１．乃至７．のうちのいずれか１項に記載の結束具。
９．基材を紐状部材で結束するための結束具であって、
前記紐状部材を挿通するための貫通孔を有する基台部材と、
前記基台部材と上下に対向した保持部材と、
前記基台部材と前記保持部材とを互いの中央で接続係止する係止部材と、
を備え、
前記基台部材と前記保持部材との側端部近傍は、外方に向かって次第に互いの離間隙間が拡大するように形成され、
前記保持部材の前記基台部材と対向する側に、前記紐状部材が押入される凹部が形成され、
前記基台部材は、台座部と、該台座部から下方に延設した周壁部と、からなり、
前記貫通孔は、該周壁部を貫通して左右略対称に一対有し、
前記基台部材は、前記貫通孔の挿通する一方向に向かって次第に窄まるように形成され、
前記保持部材側からの平面視で、前記基台部材が前記保持部材より外方にはみ出した上面部位を有することを特徴とする結束具。
【０００８】
１．本発明の結束具は、紐状部材を挿通するための貫通孔を有する基台部材と、
基台部材と上下に対向した板状の保持部材と、基台部材と保持部材とを互いの中央で接続係止する係止部材とからなるため、簡易な構造で、基材を紐状部材で、容易且つ確実に結束可能である。
すなわち、その紐状部材を係止部材に巻きつけるという簡易な操作で結束できるため、作業者による結束強度のバラつきが生ずることが少なく、一定の強度で基材が安定的に設置可能になる。更に、結束作業、解束作業共に簡易迅速に行うことができるため、結果的に、紐状部材の消耗も軽減される。
そして、基台部材及び／又は保持部材の対向する側に、紐状部材が押入される凹部が形成されているため、その凹部に紐状部材が押圧されて、紐状部材同士、紐状部材と凹部同士が押圧し合うことにより、強固に紐状部材が固定されることになる。
２．基台部材と保持部材の側端部近傍から外方に向かって次第に互いの離間隙間が拡大するように形成されている場合には、紐状部材を挿入しやすく、より作業性に優れることになる。
３．凹部内面に多数の突起部を備えている場合には、更に凹部内面で紐状部材の滑動を効果的に防止できるため、一層強固に紐状部材が固定されることになる。
４．基台部材が、台座部と、台座部から下方に延設した周壁部と、からなり、貫通孔が、周壁部を貫通して左右略対称に一対有する場合には、棒状部材に確実に固定しやすいものとなる。
５．基台部材が、平板状からなる場合には、種々の基材を結束するのに汎用性を持たせることができる。
６．基台部材の底面が円柱形状の棒状部材の側面に適合するように凹状の湾曲部を備えている場合には、底面を円柱形状の棒状部材に確実に固定することができる。
７．基台部材が、保持部材側からの平面視で、基台部材が保持部材より外方にはみ出した上面部位を有する場合には、紐状部材を係止部材に捲回するに際し、はみ出した上面部位の上に紐状部材を安定的に滑らせて、保持部材と基台部材の隙間に押入することが可能である。
８．紐状部材を挿通するための貫通孔を有する基台部材と、基台部材と上下に対向した保持部材と、基台部材と前記保持部材とを互いの中央で接続係止する係止部材と、を備え、基台部材と前記保持部材との側端部近傍は、外方に向かって次第に互いの離間隙間が拡大するように形成され、保持部材の基台部材と対向する側に、紐状部材が押入される凹部が形成され、基台部材が、台座部と、台座部から下方に延設した周壁部と、からなり、貫通孔は、周壁部を貫通して左右略対称に一対有し、基台部材は、貫通孔の挿通する一方向に向かって次第に窄まるように形成され、保持部材側からの平面視で、基台部材が保持部材より外方にはみ出した上面部位を有する場合には、前述の効果に加え更に、軽量化を図ることができ、材料のムダを省くことができる。
【図面の簡単な説明】
【０００９】
【図１】実施例１の結束具に係り紐状部材を結束する前の状態を示す断面図である。
【図２】実施例１の結束具に係り紐状部材を結束した後の状態を示す断面図である。
【図３】実施例１の結束具に係り紐状部材を結束した後の状態を示す斜視図である。
【図４】実施例１の結束具の使用方法に係り、紐状部材を捲きつける直前の状態を示す斜視図である。
【図５】実施例１の結束具の使用方法に係り、紐状部材を捲きつけている途中の状態を示す斜視図である。
【図６】実施例１の結束具でシートを棒状部材に取り付けた状態を示す斜視図である。
【図７】（ａ）は、実施例２の結束具に係り、紐状部材を結束する前の状態を示す断面図である。（ｂ）は、（ａ）における紐状部材の取り付け方法を示す説明図である。
【図８】実施例２の結束具に係り、紐状部材を結束する前の状態を示す斜視図である。
【図９】実施例２の結束具の分解斜視図である。
【図１０】実施例２の結束具の底面方向からの斜視図である。
【図１１】（ａ）は、実施例３の結束具の斜視図である。（ｂ）は、実施例３の結束具の断面図である。
【図１２】実施例３の結束具に紐状部材を挿着した状態を示す斜視図である。
【図１３】実施例３の結束具を靴紐の結束に用いた例を示す斜視図である。
【図１４】図１３において、紐状部材の結束方法の例を示す説明図である。
【図１５】実施例３の結束具で棒状部材を結束した例を示す斜視図である。
【図１６】実施例３の結束具で木枝の吊り紐を結束した例を示す斜視図である。
【図１７】実施例３の結束具でトラック荷台の荷物を結束した例を示す斜視図である。
【発明を実施するための形態】
【００１０】  以下、図１〜１７を参照しながら本発明を詳しく説明する。尚、本発明は、かかる図に記載された具体例に示すものに限られず、目的、用途に応じて種々変更したものとすることができる。  本発明の結束具は、基材を紐状部材で結束するための道具である。  前記「基材」とは、紐状部材を用いて結束するための種々のものが該当する。建築用資材としてのシート、ネットなどの他、木材、トラックの荷台上の荷物、植木の枝、紐で結束する靴、荷造り用の資材、紐で結束する着物など、紐状部材で結束するための全ての被結束物が該当する。
【００１１】  前記「紐状部材」とは、基材を結束するための紐状の部材であり、かかる結束ができれば特に限定はなく、天然繊維や合成繊維などの繊維素材、プラスチック素材、又は金属素材などを糸状、紐状、帯状、ベルト状、ロープ状、チェーン状、ワイヤ状などにしたものである。これらの中でも、繊維素材を縒って束にした縒紐体であることが強度に優れるため好ましい。
【００１２】  前記「基台部材」とは、紐状部材を挿通するための貫通孔を有する部材であり、後述の保持部材と上下で対向する。貫通孔は１つのみでもよいが、基台部材において左右略対称に一対以上の貫通孔を有することが好ましい。形状は特に限定はなく、角板状、円板状、楕円板状、直方体状、球状、半球状などとすることができ、またこれらの変形とすることもできる。材質も特に限定はなく、金属製、木製、プラスチック製であってもよい。これらのうち、プラスチック製であることが好ましい。
【００１３】  前記「保持部材」とは、基台部材と上下に対向した板状の部材である。板状であれば形状は特に限定はなく、角板状、円板状、楕円板状又はこれらの変形であってもよい。また、板厚の限定もなく厚肉に形成されていてもよく、部分的に厚肉であってもよい。材質も特に限定はなく、金属製、木製、プラスチック製であってもよい。これらのうち、プラスチック製であることが好ましく、弾性変形可能なプラスチック製であることが更に好ましい。  そして、保持部材及び／又は基台部材の表面に蛍光剤を塗布しておくことができる。こうすることで、夜間においても目立ち、作業性、安全性を更に高めることができる。
【００１４】  前記「係止部材」とは、基台部材と保持部材とを互いの中央で接続係止する部材である。係止部材は、基台部材と、保持部材を接続係止できれば特に限定はなく、リベット、ボルトナット、係止紐、割りピンなどの部材を用いることができる。これらの中でも、割ピンであることが好ましい。割ピンであれば、取り扱い易く、容易に係止することができる。
【００１５】［実施例１］  本発明の実施例１に係る結束具１は、図６に示すように、基材としてのシート９５と基材としての棒状部材９０を紐状部材４０で結束するためのものである。係止具１は、棒状部材９０の側面９０ａに固定することができる。結束具１は、図１に示すように、紐状部材４０を挿通するための貫通孔１１ｈを有する基台部材１０と、基台部材１０と上下に対向した板状の保持部材２０と、基台部材２０と保持部材１０とを互いの中央で接続係止する係止部材３０と、を備えている。
【００１６】  基台部材１０は、図１に示すように、変形した円板状に形成されている。基台部材１０は、円柱形状の棒状部材の側面に適合するように、底面がやや湾曲して湾曲部１０ｂを形成している。また、角柱棒状部材の側面にも適合するように、側端部近傍の底面は、平坦に形成された平坦部１１ｂを形成している。
【００１７】  側端部１１に紐状部材４０を挿通するための貫通孔１１ｈが設けられている。そして、中央部には、係止部材としての割りピン３０を挿着するための係止孔１０ｈが設けられている。  基台部材１０の上面の形状も特に限定はないが、側端部１１近傍においては、外方に向かって、保持部材２０の側端部２１近傍の下面との離間隙間４５が拡大するように形成されていることが好ましい。  基台部材１０の中央上面には、紐状部材４０を押入するための凹部１５を形成することができる。
【００１８】  保持部材２０は、基台部材１０と上下に対向して板状に形成されている。そして、中央部には、係止ピン３０を挿着するための係止孔２０ｈが設けられている。保持部材は、平板状であってもよいが、図１に示すように、紐状部材４０を押入するための凹部２５が形成されていることが好ましい。すなわち、図１に示すように、紐状部材４０が、凹部２５に押入され、強固な固定を保持することができる。この凹部の形状は紐状部材４０が押入できれば、特に限定はない。また、この凹部は、複数に分かれていてもよい。
【００１９】  この凹部２５の内面に複数の突起部２６を備えていることが好ましい。こうすることで、図２に示すように、凹部２５内面において紐状部材４０が滑動するのを効果的に防止できるため、一層強固に紐状部材４０が固定されることになる。
【００２０】  保持部材２０の下面の形状も特に限定はないが、側端部２１近傍においては、外方に向かって、基台部材１０の側端部１１近傍の上面との離間隙間４５が拡大するように形成されていることが好ましい。  以上の構成の保持部材２０は、図１、図３に示すように、中央部２２が凸状に形成されると共に、両側端部２１が上部外方に向かって緩やかに延びている。このように、空間部２７を形成することで軽量化を図ることができる。  なお、保持部材の上面は、平坦部２１ｂと面一となるように厚肉に形成され、空間部２７が形成されない構成であってもよい。
【００２１】  係止部材としての割りピン３０は、基台部材１０と、保持部材２０とを互いの中央で接続係止する部材である。そして、図２に示すように、紐状部材４０を巻きつける軸としての役割を果たす。  割りピン３０は、図１に示すように、保持部材２０の係止孔２０ｈ、基台部材１０の係止孔１０ｈに挿通して、基台部材１０の底面で分割して、基台部材１０と、保持部材２０とを係止する。この場合、首部が、保持部材２０の係止孔２０ｈから突出する遊び３５を設けておくことができる。  こうすることで、図２に示すように、最も狭い離間隙間４５ａを紐状部材４０が通過しやすくなる。
【００２２】  紐状部材４０は、図３に示すように、やや扁平な縒紐体であり、取り扱いに優れている。そして、基台部材１０上に取着する際には、割ピン３０に巻き付けられて、前述の保持部材２０の凹部２５の内面と基台部材１０の上面とで押圧固定される。
【００２３】（取付方法）  結束具１の取付方法の例を図４〜図６を用いて、以下に説明する。  まず、結束具１の一対の挿通孔に、一端側に係止瘤４０ｃを形成した紐状部材４０を挿通しておく。そして、結束具１の底面を棒状部材９０の側面９０ａに当接させて、棒状部材９０に紐状部材４０を巻きつける。  次いで、紐状部材４０の一端側４０ａを左手Ｌで支持し、他端側４０ｂを右手Ｒで引っ張る。  更に、図５に示すように、係止部材１の離間隙間４５に紐状部材４０を押入して割りピンに２〜３回程度巻き付けることにより棒状部材９０を結束することができる。
【００２４】  図６に示すように、シート９５の係止孔９５ａに紐状部材４０を予め結束しておくことで、基材としてのシート９５と基材としての棒状部材９０とを結束することができる。棒状部材９０は、鉄製の円管であり、建設現場での足場の組み立て材として適している。  なお、棒状部材は、上記に限定されず、シート、ネットなどを取着する部材として、円柱状、角柱状、或いはこれらの中空状のものであってもよい。また、材質も金属製、合成樹脂製、木製など種々のものが使用可能である。
【００２５】［実施例２］  本発明の実施例２に係る結束具２は、図７（ａ）に示すように、紐状部材４０を挿通するための貫通孔６１ｈａ、６１ｈｂを有する基台部材６０と、基台部材６０と上下に対向した板状の保持部材５０と、基台部材６０と保持部材５０とを互いの中央で接続係止する係止部材３０と、を備えている。
【００２６】  基台部材６０は、図７〜１０に示すように、台座部６２と、該台座部６２から下方に延設した周壁部６３、６４と、からなる。そして、貫通孔６１ｈａ、６１ｈｂが、それぞれの周壁部６３、６４を貫通して左右略対称に一対有している。こうすることで、棒状部材に確実に固定しやすいものとなる。  基台部材６０は、円柱形状の棒状部材の側面に適合するように、底面がやや湾曲して湾曲部６０ｂを形成している。  そして、基台部材６０は、図８に示すように、保持部材５０側からの平面視で、保持部材５０より外方にはみ出した上面部位６０ａｓを有している。紐状部材４０を係止部材２に捲回するに際し、はみ出した上面部位６０ａｓの上に紐状部材４０を安定的に滑らせて、保持部材５０と基台部材６０の隙間に押入することが可能である。
【００２７】  そして、中央部には、係止部材としての割りピン３０を挿着するための係止孔６０ｈが設けられている。  上面６０ａの形状も特に限定はないが、側端部６１近傍においては、外方に向かって、保持部材５０の側端部５１近傍の下面との離間隙間６５が拡大するように形成されている。こうすることで、紐状部材４０を更に巻き込みやすいものとすることができる。
【００２８】  図１０に示すように、底面部６０ｂ、６０ｂの間に、紐部材４０が案内される溝部６０ｄが形成されている。紐部材４０を溝部６０ｄに挿着することで、棒状部材に底面部６０ｂ、６０ｂを密着するに際して、紐状部材４０が妨げにならない。
【００２９】  保持部材５０は、基台部材６０と上下に対向して板状に形成されている。そして、中央部には、割りピン３０を挿着するための係止孔５０ｈが設けられている。そして、紐状部材４０を押入するための凹部５５が形成されている。この凹部の形状は紐状部材４０が押入できれば、特に限定はない。また、凹部は複数に分かれていてもよい。
【００３０】  保持部材の下面の形状も特に限定はないが、側端部５１近傍においては、外方に向かって、基台部材６０の側端部６１近傍の下面との離間隙６５が拡大するように形成されていることが好ましい。  その他の構成及び作用効果については、保持部材２０と同様であり、その説明を省略する。
【００３１】  係止部材としての割りピン３０は、基台部材６０と、保持部材５０を互いの中央で接続係止する部材である。そして、図２に示すように、紐状部材４０を巻きつける軸としての役割を果たす。  割りピン３０、並びに割りピン３０と基台部材６０及び保持部材５０との関係についてのその他の構成及び作用効果は、実施例１において説明した通りであるため、その説明を省略する。
【００３２】  紐状部材４０についての構成及び作用効果は、実施例１において説明した通りであるため、その説明を省略する。
【００３３】  紐状部材４０を結束具２に取り付けた例を図７（ａ）に示す。その取付方法を同図（ｂ）によって説明する。  紐状部材４０の一端部４０ｓから、紐状部材４０を結束具２の上部側から貫通孔６１ｈａを通して底面側に引き出す。次いで、上部側へ引き上げ、上部側から貫通孔６１ｈｂへ通して、底面側に最初に通した紐部材４０をループ４０ｌに囲い込み、再度貫通孔６１ｈｂから上部へ引き出す。そして、両端部４０ｓ、４０ｅを互いに引き合うことで、同図（ａ）のように、緊縮した状態にすることができる。  その後、棒状部材をシートに結束するには、図４〜６において説明した手順で行うことができる。  なお、上記の取り付け方法は一例であり、この方法に限定されず種々の方法で結束してよいことは言うまでもない。
【００３４】  ［実施例３］    本発明の実施例３に係る結束具は、図１１、１２に示すように、紐状部材４０を挿通するための貫通孔７１ｈａ、７１ｈａ、７１ｈｂ、７１ｈｂを有する基台部材７０と、基台部材７０と上下に対向した板状の保持部材５０と、基台部材７０と保持部材５０とを互いの中央で接続係止する係止部材３０と、を備えている。
【００３５】  基台部材７０は、図１１（ａ）、（ｂ）に示すように、長尺板状であり、紐状部材４０を挿通するための４つの貫通孔を有しており、一対の貫通孔７１ｈａ、７１ｈａと、一対の貫通孔７１ｈｂ、７１ｈｂとを有している。  なお、基台部材７０は、平板状であればよく、長方形状、正方形状、その他の多角形状、円板状、楕円板状、又はこれらの変形、組み合わせであってもよい。  また、貫通孔の数、配置についても特に限定はなく、種々の数、様々な配置をすることができる。
【００３６】  そして、中央部には、係止部材としての割りピン３０を挿着するための係止孔７０ｈが設けられている。  そして、外方に向かって、保持部材５０の側端部近傍の下面との離間隙間７５が拡大するように形成されている。こうすることで、紐状部材４０を巻き込みやすくしている。
【００３７】  保持部材５０の構成及び作用効果、割りピン３０、並びに、割りピン３０、基台部材７０、及び保持部材５０との相互の関係についての構成及び作用効果、紐状部材４０についての構成及び作用効果は、前述の通りであり、その説明は省略する。
【００３８】  紐状部材４０を結束具３に取り付けた例を図１２に示す。紐状部材４０の一端側に係止瘤４０ｃを形成して、紐状部材４０を、一端側の貫通孔７１ｈａに挿通する。基材（不図示）を空間部７７に囲繞して、紐状部材４０の他端側を引っ張って保持部材５０と基台部材７０との隙間に巻きつけることで、基材を結束することができる。
【００３９】  結束具３の利用例を、図１３〜１７に示す。図１３は、結束具３を用いて、基材としての靴８０を、靴紐である紐状部材４２で結束した例である。図１４において、一方側の紐状部材４２ｂを靴の挿通孔Ｂ、Ｃに通し、更に基台部材７０の上側から貫通孔７１ｈｂを通して、係止瘤４２ｃを形成しておく。  そして、他方側の紐状部材４２ａを靴の挿通孔Ａに通し、基台部材７０の下側から貫通孔７１ｈｂを通して挿通孔Ｄへ通す。挿通孔Ｄへ通した紐状部材４２ａを引っ張って、保持部材５０と基台部材７０の隙間に巻きつけることにより、靴紐が結束される。
【００４０】  図１５は、結束具３を用いて、多数の基材としての管材８５を紐状部材４０で結束した例を示す。  図１６は、木８７に支持棒部材８８、８９を架け渡し固定し、結束具３を用いて、枝を吊り紐としての紐状部材４４で結束した例を示す。  ここで、木８７、支持棒部材８８、８９、枝はすべて本発明における基材である。  図１７は、結束具３を用いて、トラックに積まれた基材としての荷物を紐状部材４０で結束した例を示す。
【符号の説明】
【００４１】１、２、３；結束具、１０、６０、７０；基台部材、１０ｂ、６０ｂ；湾曲部、１１、２１、５１、６１；側端部、１１ｈ、６１ｈａ、６１ｈｂ、７１ｈａ、７１ｈｂ；貫通孔、１５、２５、５５；凹部、２０、５０；保持部材、２６；突起部、３０；係止部材、４０、４２、４４；紐状部材、４５、６５、７５；離間隙間、６０ａｓ；上面部位、６２；台座部、６３、６４；周壁部、８０、８５、８７、８８、９０、９５；基材、９０ａ；側面
【図１】
0006545253.tif 000002
【図２】
0006545253.tif 000003
【図３】
0006545253.tif 000004
【図４】
0006545253.tif 000005
【図５】
0006545253.tif 000006
【図６】
0006545253.tif 000007
【図７】
0006545253.tif 000008
【図８】
0006545253.tif 000009
【図９】
0006545253.tif 000010
【図１０】
0006545253.tif 000011
【図１１】
0006545253.tif 000012
【図１２】
0006545253.tif 000013
【図１３】
0006545253.tif 000014
【図１４】
0006545253.tif 000015
【図１５】
0006545253.tif 000016
【図１６】
0006545253.tif 000017
【図１７】
0006545253.tif 000018